(57)【要約】【課題】  飲み口部に取り付けられたキャップに代えて、容易に他のキャップを使用することができる、ダミー体を提供する。【解決手段】  飲料の容器を模したダミーボトル１は、上端部分に飲み口部２ｅを備えたダミー体本体２を有する。ここで、飲み口部２ｅは、ネジ部が形成される前の第１のキャップＣ１とネジ部が形成された後の第２のキャップＣ２とが選択的に取り付けられるように、第１のキャップＣ１が着脱可能に嵌められる基端側の径大部Ｄ１と、第２のキャップＣ２が着脱可能に嵌められる先端側の径小部Ｄ２とを備える。【選択図】  図８
2010176704.tif 000002
【特許請求の範囲】
【請求項１】
飲料の容器を模したダミー体であって、
上端部分に飲み口部を備えたダミー体本体を有し、
前記飲み口部は、ネジ部が形成される前の第１のキャップとネジ部が形成された後の第２のキャップとが選択的に取り付けられるように、前記第１のキャップが着脱可能に嵌められる基端側の径大部と、前記第２のキャップが着脱可能に嵌められる先端側の径小部とを備えていることを特徴とするダミー体。
【請求項２】
前記径大部には、その径大部に嵌められる前記第１のキャップの内面に当たる第１の凸部、または、前記第１のキャップの内面から逃げる第１の平坦部もしくは第１の凹部が形成されており、前記径小部には、その径小部に嵌められる前記第２のキャップの内面に当たる第２の凸部、または、前記第２のキャップの内面から逃げる第２の平坦部もしくは第２の凹部が形成されていることを特徴とする請求項１に記載のダミー体。
【発明の詳細な説明】
【技術分野】
【０００１】
この発明は、飲料の容器を模したダミー体に関するものである。
【背景技術】
【０００２】
従来、例えば、ジュース等の飲料用の自動販売機内には、その飲料のボトルを模した、ダミー体としてのダミーボトルが陳列されることがあった。
【発明の概要】
【発明が解決しようとする課題】
【０００３】
この発明の目的とするところは、飲み口部に取り付けられたキャップに代えて、容易に他のキャップを使用することができる、ダミー体を提供することにある。
【課題を解決するための手段】
【０００４】
この発明に係るダミー体は、前記目的を達成するために、次の構成からなる。すなわち、
請求項１に記載の発明に係るダミー体は、飲料の容器を模したダミー体であって、上端部分に飲み口部を備えたダミー体本体を有する。ここで、前記飲み口部は、ネジ部が形成される前の第１のキャップとネジ部が形成された後の第２のキャップとが選択的に取り付けられるように、前記第１のキャップが着脱可能に嵌められる基端側の径大部と、前記第２のキャップが着脱可能に嵌められる先端側の径小部とを備えている。
【０００５】
これにより、ダミー体本体の飲み口部には、径大部に、ネジ部が形成される前の第１のキャップを、そして、径小部に、ネジ部が形成された後の第２のキャップを、適宜選択して嵌めることができる。したがって、例えば、初期においては、第１のキャップを用い、そして、第１のキャップが変質、破損等した場合には、第１のキャップに代えて、例えば使用済みの第２のキャップを用いることができる。さらには、このダミー体を、例えば異なる飲料に対応させるために、第１または第２のキャップに代えて、デザインの異なる第１または第２のキャップを用いることもできる。こうして、キャップが変質、破損等した場合や、異なる飲料に対応させるために、そのキャップに代えて、容易に他のキャップを使用することができる。
【０００６】
また、請求項２に記載の発明に係るダミー体のように、請求項１に記載のダミー体において、前記径大部には、その径大部に嵌められる前記第１のキャップの内面に当たる第１の凸部、または、前記第１のキャップの内面から逃げる第１の平坦部もしくは第１の凹部が形成されており、前記径小部には、その径小部に嵌められる前記第２のキャップの内面に当たる第２の凸部、または、前記第２のキャップの内面から逃げる第２の平坦部もしくは第２の凹部が形成されていてもよい。これにより、第１のキャップや第２のキャップが若干変形している場合、あるいは若干径が異なる場合であっても、第１または第２のキャップを、径大部または径小部に押し込むようにすれば、その径大部または径小部に嵌めることができる。
【発明の効果】
【０００７】
この発明に係るダミー体によれば、次の効果がある。
【０００８】
請求項１に記載されたダミー体によれば、ダミー体本体の飲み口部に取り付けられるキャップが変質、破損等した場合や、異なる飲料に対応させるために、そのキャップに代えて、容易に他のキャップを使用することができる。
【０００９】
また、請求項２に記載されたダミー体によれば、請求項１の効果に加えて、第１のキャップや第２のキャップが若干変形している場合、あるいは若干径が異なる場合であっても、第１または第２のキャップを、径大部または径小部に嵌めることができる。
【図面の簡単な説明】
【００１０】
【図１】ダミー体の第一の実施の形態の、背面図である。
【図２】同じく、図１におけるＡ−Ａ線による拡大断面図である。
【図３】同じく、ダミー体本体の背面図である。
【図４】同じく、見本表示ラベルの展開図である。
【図５】ダミー体の第二の実施の形態の、側面図である。
【図６】同じく、正面図である。
【図７】同じく、背面図である。
【図８】同じく、径大部にキャップを嵌めた状態を示す要部拡大断面図である。
【図９】同じく、径小部にキャップを嵌めた状態を示す要部拡大断面図である。
【図１０】ダミー体の第三の実施の形態の、縦断面図である。
【図１１】ダミー体の第四の実施の形態の、ダミー体本体の分解斜視図である。
【図１２】同じく、縦断面図である。
【図１３】同じく、背面図である。
【図１４】同じく、大サイズとなったダミーボトルを示す背面図である。
【図１５】ダミー体の第五の実施の形態の、分解斜視図である。
【図１６】同じく、大サイズにしたダミーボトルの斜視図である。
【図１７】同じく、図１６における要部拡大背面図である。
【図１８】同じく、小サイズにしたダミーボトルの斜視図である。
【図１９】同じく、図１８における要部拡大背面図である。
【図２０】ダミー体の他の実施の形態の、第一の例を示す斜視図である。
【図２１】ダミー体の他の実施の形態の、第二の例を示す斜視図である。
【図２２】ダミー体の他の実施の形態の、第三の例を示す斜視図である。
【図２３】ダミー体の他の実施の形態の、第四の例を示す斜視図である。
【図２４】ダミー体の実施の形態の、飲み口部の第一の変形例を示す斜視図である。
【図２５】ダミー体の実施の形態の、飲み口部の第二の変形例を示す斜視図である。
【図２６】ダミー体の実施の形態の、飲み口部の第三の変形例を示す斜視図である。
【図２７】ダミー体の実施の形態の、飲み口部の第四の変形例を示す斜視図である。
【発明を実施するための形態】
【００１１】
以下、この発明に係るダミー体を実施するための形態を図面に基づいて説明する。
【００１２】
図１ないし図４は、ダミー体の第一の実施の形態（参考形態）を示す。図中符号１は、自動販売機内に陳列される、飲料の容器として、例えばＰＥＴボトルを模した、ダミー体としてのダミーボトルである。このダミーボトル１は、中空状のダミー体本体２と、そのダミー体本体２に取り付けられる湾曲可能な見本表示ラベル３とを有している。
【００１３】
ここで、ダミー体本体２は、光透過体として、例えばポリカーボネート樹脂等の合成樹脂製であって、ブロー成形によって形成されている。そして、ダミー体本体２は、柱状、例えば円柱状に形成された本体部２ａと、その本体部２ａから上方に延びるとともに上方に向かうに連れて径小となる傾斜部２ｂとを備えている。また、このダミー体本体２には、その背面側であって本体部２ａ部分に、ダミー体本体２の外周から窪むようにして、第１の平面部２ｃが設けられている。さらに、ダミー体本体２は、見本表示ラベル３の後述する被掛止片３ｂと対応する位置に掛止孔２ｄを備えており、この掛止孔２ｄは、後述する被掛止片３ｂの両方が差し入れられる共通の孔からなっている。具体的には、この掛止孔２ｄは、前記第１の平面部２ｃに、つまりはダミー体本体２の背面側に、例えばブロー成形後の後加工によって切り取られるようにして明けられている。
【００１４】
そして、図３に示すように、ダミー体本体２は、上端部分に、飲み口部２ｅを備え、その飲み口部２ｅには、合成樹脂製のキャップＣが螺合するようにして取り付けられている。また、ダミー体本体２の下部には、このダミー体本体２、つまりはダミーボトル１を自動販売機内のステージに固定するための係合爪２ｆを外周に備えた、円形状の突底部Ｗが設けられている。
【００１５】
見本表示ラベル３は、例えば、ポリエステルフィルム等の樹脂フィルム等からなり、外面もしくは内面に、前記ＰＥＴボトルと同様の文字や模様（図示省略）が印刷されている。また、この見本表示ラベル３は、ダミー体本体２における本体部２ａの外周を覆うように配置されるラベル本体３ａと、そのラベル本体３ａの各側端側に形成された被掛止片３ｂ、３ｂとを備えている。そして、これら被掛止片３ｂ、３ｂは、ダミー体本体２の掛止孔２ｄに外側から差し入れられて、掛止孔２ｄの周縁部に掛け止められる。具体的には、被掛止片３ｂは、その被掛止片３ｂとラベル本体３ａとを繋ぐ繋ぎ部３ｃとともに、ラベル本体３ａの側端３ｄからさらに側方に向かって突出するようにして設けられている。そして、被掛止片３ｂは、繋ぎ部３ｃよりも上方に延びる上側被掛止部３ｅ、および、繋ぎ部３ｃよりも下方に延びる下側被掛止部３ｆを備え、それら上側被掛止部３ｅおよび下側被掛止部３ｆが、ダミー体本体２における掛止孔２ｄの周縁部の内側面と掛かり合うことで、被掛止片３ｂは、掛止孔２ｄの周縁部に掛け止められる。このとき、被掛止片３ｂ、３ｂは、側方先端部分が、互いに重なるようにして、掛止孔２ｄに差し入れられている（図１、図２参照）。
【００１６】
次に、第一の実施の形態に示すダミーボトル１の作用効果について説明する。見本表示ラベル３をダミー体本体２に取り付けるにあたって、見本表示ラベル３のラベル本体３ａを、湾曲させながら、ダミー体本体２における本体部２ａの外周を覆うように配置し、ラベル本体３ａの各側端側に形成された被掛止片３ｂ、３ｂを、順に、ダミー体本体２の掛止孔２ｄに外側から差し入れる。このとき、被掛止片３ｂ、３ｂが、その掛止孔２ｄの周縁部に掛け止められることで、見本表示ラベル３は、ダミー体本体２に簡単に取り付けられる。具体的には、見本表示ラベル３の被掛止片３ｂは、その上方に延びる上側被掛止部３ｅおよび下方に延びる下側被掛止部３ｆが、ダミー体本体２における掛止孔２ｄの周縁部の内側面と掛かり合って、その周縁部に掛け止められる。このように、見本表示ラベル３は、その上側被掛止部３ｅおよび下側被掛止部３ｆが、掛止孔２ｄの周縁部の内側面と掛かり合うことで、確実にダミー体本体２に取り付けられる。
【００１７】
また、共通の孔からなる掛止孔２ｄに差し入れられる被掛止片３ｂ、３ｂは、少なくとも側方先端部分が互いに重なって、掛止孔２ｄの周縁部に掛け止められるので、これら被掛止片３ｂは、掛止孔２ｄから外れにくくなる。したがって、見本表示ラベル３は、一層確実にダミー体本体２に取り付けられることとなる。
【００１８】
また、ダミー体本体２は、光透過体からなるので、見本表示ラベル３を照らす場合には、照明光を、例えば下方等からダミー体本体２内に取り入れ、そのダミー体本体２の内側からラベル本体３ａを照らすことができる。しかも、このとき、掛止孔２ｄは、少なくとも側方先端部分が互いに重なった被掛止片３ｂ、３ｂによって塞がっているので、照明光が、掛止孔２ｄから外部に漏れにくい（図１、図２参照）。
【００１９】
また、見本表示ラベル３をダミー体本体２から取り外すには、各被掛止片３ｂ、３ｂを、撓ませるようにして掛止孔２ｄから抜き出せばよい。こうして、見本表示ラベル３をダミー体本体２から取り外し、そして、他の見本表示ラベル３をダミー体本体２に取り付けることで、見本表示ラベル３の交換を容易に行うことができる。そして、種々のデザインの見本表示ラベル３を交換してダミー体本体２に取り付ければ、一つのダミー体本体２で、様々なダミーボトル１に対応させることができる。
【００２０】
また、掛止孔２ｄは、第１の平面部２ｃ、つまりは平面部分に明けられるので、この掛止孔２ｄを容易に形成することができる。
【００２１】
図５ないし図９は、ダミー体の第二の実施の形態（本発明）を示す。この実施の形態は、第一の実施の形態と比較すると、ダミー体としてのダミーボトル１は、飲料の容器として、アルミニューム等の金属ボトルを模したものであり、第１および第２の開口２ｇ、２ｈが形成され、また、段部２ｉが設けられ、さらには、飲み口部２ｅの構造等が異なるが、他はほぼ同様であり、以下にその異なる部分を主に説明する。
【００２２】
ダミー体本体２は、合成樹脂製であって、ブロー成形により形成されているが、合成樹脂材料自体が光が不透過であったり、成形後の塗装等により、光不透過体となっている。そして、図５および図６に示すように、ダミー体本体２には、第１の平面部２ｃの他に、ダミー体本体２の正面側であって本体部２ａ部分に、ダミー体本体２の外周から窪むようにして、第２の平面部２ｊが設けられている。この第２の平面部２ｊは、下側に比して上側が一層窪む傾斜面となっている。
【００２３】
また、ダミー体本体２には、掛止孔２ｄの他に、そのダミー体本体２の底面、すなわち、この実施の形態においては、円形状の突底部Ｗの下面に、第１の開口２ｇが形成されるとともに、ラベル本体３ａと対面する位置であって、前記第２の平面部２ｊに、つまりはダミー体本体２の正面側に、第２の開口２ｈが形成されている（図５参照）。そして、これら第１および第２の開口２ｇ、２ｈは、例えばブロー成形後の後加工によって切り取られるようにして明けられている。
【００２４】
そして、ダミー体本体２には、ラベル本体３ａが嵌まる段部２ｉが、例えば、正面側において、上側および下側に設けられている（図５参照）。
【００２５】
さらに、図８および図９に示すように、ダミー体本体２の上端部分に備わる飲み口部２ｅは、ネジ部が形成される前の第１のキャップＣ１とネジ部が形成された後の第２のキャップＣ２とが選択的に取り付けられるように、第１のキャップＣ１が着脱可能に嵌められる基端側の径大部Ｄ１と、第２のキャップＣ２が着脱可能に嵌められる先端側の径小部Ｄ２とから構成されている。
【００２６】
この第二の実施の形態に示すダミーボトル１の作用効果は、第一の実施の形態とは、ダミー体本体２への見本表示ラベル３の取り付けに関しては同様であるが、その他に、以下の作用効果を奏する。
【００２７】
見本表示ラベル３をダミー体本体２の内側から照らす場合には、照明光を、第１の開口２ｇからダミー体本体２内に取り入れ、そして、第２の開口２ｈからラベル本体３ａを照らすことができる（図５参照）。こうして、ダミー体本体２が光不透過体からなる場合であっても、見本表示ラベル３をダミー体本体２の内側から照らす場合に、第１および第２の開口２ｇ、２ｈを介して、ラベル本体３ａを照らすことができる。しかも、このとき、底面の第１の開口２ｇからダミー体本体２に取り入れられた照明光は、下側に比して上側が一層窪む傾斜面となった第２の平面部２ｊに明けられた第２の開口２ｈを容易に通ることができ、ラベル本体３ａを確実に照らすことができる。さらに、このとき、掛止孔２ｄは、少なくとも側方先端部分が互いに重なっている被掛止片３ｂ、３ｂによって塞がっているので、照明光が、掛止孔２ｄから外部に漏れにくい（図７参照）。
【００２８】
また、第１の開口２ｇは、底面の平面部分に明けられるので、この第１の開口２ｇを容易に形成することができる。同様にして、掛止孔２ｄや第２の開口２ｈは、第１の平面部２ｃや第２の平面部２ｊ、つまりは平面部分に明けられるので、これら掛止孔２ｄや第２の開口２ｈを容易に形成することができる。
【００２９】
また、ダミー体本体２には、ラベル本体３ａが嵌まる段部２ｉ、２ｉが設けられているので、見本表示ラベル３を、前記段部２ｉ、２ｉによって位置決めすることができる（図５参照）。
【００３０】
また、図８および図９に示すように、ダミー体本体２の飲み口部２ｅには、径大部Ｄ１に、ネジ部が形成される前の第１のキャップＣ１を、そして、径小部Ｄ２に、ネジ部が形成された後の第２のキャップＣ２を、適宜選択して嵌めることができる。したがって、例えば、初期においては、第１のキャップＣ１を用い、そして、第１のキャップが変質、破損等した場合には、第１のキャップＣ１に代えて、例えば使用済みの第２のキャップＣ２（実際の飲料ボトルに用いられて、開栓後に捨てられた、使用済みのキャップ）を用いることができる。そして、さらに、この第２のキャップが変質、破損等した場合には、この第２のキャップＣ２に代えて、例えば使用済みの別の第２のキャップＣ２を用いることができる。さらには、このダミーボトル１を、例えば異なる飲料に対応させるために、第１または第２のキャップＣ１、Ｃ２に代えて、デザインの異なる第１または第２のキャップＣ１、Ｃ２を用いることもできる。こうして、キャップＣ１、Ｃ２が変質、破損等した場合や、異なる飲料に対応させるために、そのキャップＣ１、Ｃ２に代えて、容易に他のキャップＣ１、Ｃ２を使用することができる。
【００３１】
図１０は、ダミー体の第三の実施の形態（本発明）を示す。この実施の形態は、第二の実施の形態と比較すると、ダミー体としてのダミーボトル１における、ダミー体本体２の製造方法が異なり、また、第１および第２の平面部２ｃ、２ｊは設けられていないが、他はほぼ同様であり、以下にその異なる部分を主に説明する。
【００３２】
ダミー体本体２は、例えばポリプロピレン樹脂等の合成樹脂製であって、射出成形によって形成されるとともに、底部２ｋが、別体に形成されている。そして、ダミー体本体２には、第１および第２の平面部２ｃ、２ｊは設けられておらず、掛止孔２ｄおよび第２の開口２ｈは、本体部２ａの外周の曲面部分に直接明けられている。そして、ダミー体本体２における、ラベル本体３ａが嵌まる段部２ｉは、下側のみとなっている。そして、この第三の実施の形態においても、掛止孔２ｄおよび第２の開口２ｈが曲面部分に明けられる点を除き、第二の実施の形態と同様の作用効果を奏する。
【００３３】
図１１ないし図１４は、ダミー体の第四の実施の形態（本発明）を示す。この実施の形態は、第三の実施の形態と比較すると、ダミー体本体２が、複数の分割部材からなる点が異なるが、他はほぼ同様であり、以下にその異なる部分を主に説明する。
【００３４】
ダミー体本体２は、上下方向に対して分割されて着脱可能に組み付けられる複数の分割部材（図示実施の形態においては二つの分割部材）からなる。すなわち、ダミー体本体２は、分割部材として、上部部材６と下部部材７とからなり、それら上部部材６および下部部材７のいずれか（図示実施の形態においては上部部材６）は、高さの異なる分割部材（図示実施の形態においては上部部材６）が選択的に組み付けられる。
【００３５】
具体的には、上部部材６は、射出成形によって形成されたポリプロピレン樹脂等の合成樹脂製であって、傾斜部２ｂと、上端部分の飲み口部２ｅと、傾斜部２ｂから背面側を下方に延びるようにして延設された背板部６ａとを備えている。ここで、飲み口部２ｅは、第二の実施の形態や第三の実施の形態と同様に、ネジ部が形成される前の第１のキャップＣ１が着脱可能に嵌められる基端側の径大部Ｄ１と、ネジ部が形成された後の第２のキャップＣ２が着脱可能に嵌められる先端側の径小部Ｄ２とから構成されている。そして、この実施の形態においては、径大部Ｄ１には、その径大部Ｄ１に嵌められた前記第１のキャップＣ１の内面に当たる、リブからなる第１の凸部Ｅ１が形成されており、径小部Ｄ２には、その径小部Ｄ２に嵌められた前記第２のキャップＣ２の内面に当たる、リブからなる第２の凸部Ｅ２が形成されている。詳細には、第１の凸部Ｅ１は、径大部Ｄ１の、例えば、背面側に、縦に延びるようにして二本並んで設けられており、同様にして、第２の凸部Ｅ２は、径小部Ｄ２の、例えば、背面側に、縦に延びるようにして二本並んで設けられている。
【００３６】
そして、この背板部６ａは、両サイドを除くほぼ全体が、若干内側に入った段部部分６ｂとなっており、この段部部分６ｂに、掛止孔２ｄが明けられている。また、背板部６ａには、段部部分６ｂから下方に延びて、後述する係合溝７ｄに差し入れられる係合片６ｃが設けられている。さらに、この係合片６ｃには、その下端部分のほぼ中央位置に、後方に向かって突出し、後述する係止孔７ｆに係止される被係止突起６ｄが設けられている。
【００３７】
また、下部部材７は、上部部材６と同様に射出成形によって形成されたポリプロピレン樹脂等の合成樹脂製であって、突底部Ｗを備える底板７ａと、その底板７ａの周縁部全周から上方に起立する第１の側板７ｂと、この第１の側板７ｂの内側であってその第１の側板７ｂの背面側と対向するように底板７ａから上方に起立する第２の側板７ｃとからなる。そして、第１の側板７ｂの背面側と第２側板７ｃとの間が、前記上部部材６における係合片６ｃが差し入れられる係合溝７ｄとなる。詳細には、この係合溝７ｄには、第２の側板７ｃから突出するリブ７ｅ、７ｅが設けられており、このリブ７ｅ、７ｅによって、前記係合片６ｃが押さえられる。さらに、第１の側板７ｂの背面側の下端ほぼ中央位置には、前記上部部材６における被係止突起６ｄを係止する係止孔７ｆが設けられている。こうして、上部部材６と下部部材７との組付けにあたっては、上部部材６の係合片６ｃが、下部部材７の係合溝７ｄに差し入れられ、そして、上部部材６の被係止突起６ｄが、下部部材７の係止孔７ｆに係止される。また、上部部材６を下部部材７から外す場合には、被係止突起６ｄを押し込むようにして、係止孔７ｆによる係止を解除し、その後、上部部材６を下部部材７に対して持ち上げるように引っ張れば、上部部材６の係合片６ｃは、下部部材７の係合溝７ｄから抜け出る。こうして、このダミー体本体２は、分割部材の一方となる上部部材６が、分割部材の他方となる下部部材７に着脱可能に差し入れられて組み付けられている。
【００３８】
そこで、高さの異なる上部部材６、６を適宜用意しておき、それらを選択的に下部部材７に組み付けることで、ダミー体本体２は、段階的に高さ調整される。そして、見本表示ラベル３は、高さの異なる見本表示ラベル３が、ダミー体本体２の高さに応じて、そのダミー体本体２に、選択的に取り付けられる。ここで、図１３には、３５０ｍｌタイプの飲料ボトルを模したダミーボトル１が示されており、飲み口部２ｅには、その径大部Ｄ１に第１のキャップＣ１が嵌められている。また、図１４には、５００ｍｌタイプの飲料ボトルを模したダミーボトル１が示されており、飲み口部２ｅには、その径小部Ｄ２に第２のキャップＣ２が嵌められている。なお、ダミー体本体２の底面、すなわち、円形状の突底部Ｗの下面には、第１の開口２ｇが形成されるとともに、このダミー体本体２の周面における、背板部６ａがない前面側が、第２の開口２ｈとなって、見本表示ラベル３におけるラベル本体３ａと対面することとなる（図１２参照）。
【００３９】
この第四の実施の形態に示すダミーボトル１の作用効果においては、第三の実施の形態における作用効果に加えて、以下の作用効果を奏する。ダミー体本体２の飲み口部２ｅにおいては、第１のキャップＣ１と第２のキャップＣ２とを適宜選択して嵌めることによる作用効果（第二の実施の形態に記載）の他に、第１のキャップＣ１や第２のキャップＣ２が若干変形している場合、あるいは若干径が異なる場合にも対応することができる。すなわち、第１のキャップＣ１（第２のキャップＣ２）を、第１の凸部Ｅ１が形成された径大部Ｄ１（第２の凸部Ｅ２が形成された径小部Ｄ２）に押し込むようにすれば、キャップＣ１（Ｃ２）が凸部Ｅ１（Ｅ２）にならうように、キャップＣ１（Ｃ２）あるいは凸部Ｅ１（Ｅ２）が変形し、そのキャップＣ１（Ｃ２）を径大部Ｄ１（径小部Ｄ２）に嵌めることができる。
【００４０】
また、ダミー体本体２は、高さの異なる上部部材６が選択的に組み付けられることで、つまりは、高さの異なる上部部材６が交換されることで、高さ調整が段階的に可能となる。こうして、このダミー体本体２および見本表示ラベル３によって、高さの異なる複数のダミーボトル１を形成することができ、こうして、高さ調整が可能なダミーボトル１を得ることができる。
【００４１】
図１５ないし図１９は、ダミー体の第五の実施の形態（本発明）を示す。この実施の形態は、第三の実施の形態と比較すると、ダミー体としてのダミーボトル１が、高さ調整可能となっており、また、掛止孔２ｄは、被掛止片３ｂ、３ｂが個別に差し入れられる別々の孔からなっているが、他はほぼ同様であり、以下にその異なる部分を主に説明する。
【００４２】
ダミー体本体２は、上部体４と下部体５とからなり、それら上部体４と下部体５とが高さ調整可能に組み付けられている。上部体４は、傾斜部２ｂと、キャップＣ１（Ｃ２）が取り付けられた飲み口部２ｅと、傾斜部２ｂから背面側を下方に延びるようにして延設された第１の延設部としての上側背板部４ａとからなっている。そして、この上側背板部４ａには、上下に並ぶようにして、後方に向かって突出する、つまり、後述する長孔５ｃ側に突出する突出片４ｂ、４ｂが設けられている。この突出片４ｂは、後述する長孔５ｃに通されてその長孔５ｃ内を上下に移動可能な脚部４ｃと、その脚部４ｃの先端から側方に延びて後述する長孔５ｃの周縁部に係合する係合部４ｄとからなっている。さらに、上側の突出片４ｂにおける脚部４ｃには、側方に突出する位置決め突起４ｅが設けられており、この位置決め突起４ｅは、後述する凹部５ｆと係合して、このダミー体本体２を所定の高さ寸法に保持するための位置決めとして機能している。
【００４３】
また、下部体５は、底部５ａと、その底部５ａから背面側を上方に延びるようにして延設された第２の延設部としての下側背板部５ｂとからなっている。そして、この下側背板部５ｂには、上下方向に長手となる長孔５ｃが設けられている。そして、この長孔５ｃには、その中間部分の二ヵ所に、幅狭となった幅狭部５ｄが、そして、上端に、幅広となった幅広部５ｅが設けられている。さらに、幅狭部５ｄには、凹部５ｆが形成されている。そして、下側背板部５ｂには、前記凹部５ｆを囲むように、孔５ｇ、５ｇが形成されている。そして、この下側背板部５ｂの、左右の各側に、長孔５ｃを挟むようにして、掛止孔２ｄ、２ｄが設けられている。
【００４４】
ここで、これら上部体４と下部体５との組付けにあたっては、上部体４における下側の突出片４ｂを、下部体５における長孔５ｃの幅広部５ｅに挿入し（図１５参照）、突出片４ｂの脚部４ｃが、長孔５ｃ内を下方に移動するように、上部体４を下部体５に対して下げ、次いで、上側の突出片４ｂを、長孔５ｃの幅広部５ｅに挿入する。さらに、上部体４を下部体５に対して下げると、両突出片４ｂ、４ｂの脚部４ｃ、４ｃが、長孔５ｃ内を下方に移動して、位置決め突起４ｅが、上側の凹部５ｆと係合し、ダミー体本体２の高さは、大サイズの高さに保持される（図１６、図１７参照）。そして、さらに上部体４を下部体５に対して下げると、同様に、両突出片４ｂ、４ｂの脚部４ｃ、４ｃが、長孔５ｃ内を下方に移動して、位置決め突起４ｅが、下側の凹部５ｆと係合し、ダミー体本体２の高さは、小サイズの高さに保持される（図１８、図１９参照）。そして、見本表示ラベル３は、高さの異なる見本表示ラベル３が、ダミー体本体２の高さに応じて、そのダミー体本体２に、選択的に取り付けられる。なお、図中符号４ｆは、上側背板部４ａに設けられたストッパであり、大サイズとなったダミー体本体２において、長孔５ｃの幅広部５ｅの上端面と当接することで、上部体４が、下部体５に対してさらに上方に移動するのを阻止している。
【００４５】
また、見本表示ラベル３においては、被掛止片３ｂに、上側被掛止部３ｅおよび下側被掛止部３ｆの他に、被掛止片３ｂの先端中央部分からさらに側方に向かって突出するようにして，掛止孔２ｄの周縁部の内側面と対向する突片３ｇが設けられている。そして、この突片３ｇにより、被掛止片３ｂは、掛止孔２ｄから外れにくくなり、見本表示ラベル３は、一層確実にダミー体本体２に取り付けられることとなる。なお、ダミー体本体２の底面、すなわち、円形状の突底部Ｗの下面には、第１の開口２ｇが形成されるとともに、このダミー体本体２の周面における、上側背板部４ａおよび下側背板部５ｂがない前面側が、第２の開口２ｈとなって、見本表示ラベル３におけるラベル本体３ａと対面することとなる（図１６、１８参照）。
【００４６】
この第五の実施の形態に示すダミーボトル１の作用効果においては、第三の実施の形態と比較すると、掛止孔２ｄが、被掛止片３ｂが個別に差し入れられる別々の孔からなることで、ダミー体本体２において、掛止孔２ｄを設ける位置の自由度を増加させることができる。そして、ダミー体本体２を、上部体４と下部体５とに分割することで、高さ調整が可能なダミーボトル１を得ることができる。すなわち、ダミー体本体２は、上部体４と下部体５とが高さ調整可能に組み付けられて、そのダミー体本体２の高さに応じて、ダミー体本体２に、高さの異なる見本表示ラベル３が、選択的に取り付けられる。こうして、このダミー体本体２および見本表示ラベル３によって、高さの異なる複数のダミーボトル１を形成することができる。
【００４７】
なお、本発明および参考形態は、上述した実施の形態に限定されるわけではなく、その他種々の変更が可能である。例えば、第四の実施の形態において、ダミー体本体２は、高さの異なる上部部材６が選択的に組み付けられているが、反対に、高さの異なる下部部材７が選択的に組み付けられてもよい。また、このダミー体本体２は、上部部材６と下部部材７との二つの分割部材からなっているが、上下方向に対して分割されて着脱可能に組み付けられる三つ以上の分割部材からなっていてもよい。
【００４８】
また、図２０に示すように、見本表示ラベル３は、上部片３ｈを備えていてもよい。この上部片３ｈは、ダミー体本体２の傾斜部２ｂと向かい合うよう、ラベル本体３ａの上端３ｉからさらに上方に向かって突出している。したがって、この上部片３ｈが、ダミー体本体２の傾斜部２ｂを覆うこととなり、この上部片３ｈによって、見る者の注意を喚起することができる。
【００４９】
また、見本表示ラベル３における被掛止片３ｂは、ラベル本体３ａの側端３ｄからさらに側方に向かって突出するようにして設けられなくとも、図２１に示すように、ラベル本体３ａの側端部分に形成された切込み３ｊによって、ラベル本体３ａの側端３ｄとは反対側に向かって突出するようにして設けられてもよい。このとき、被掛止片３ｂは、ダミー体本体２における掛止孔２ｄの周縁部の内側面と掛かり合うことで、その周縁部に掛け止められる。
【００５０】
さらに、見本表示ラベル３における被掛止片３ｂは、図２２に示すように、ラベル本体３ａの側端３ｄからさらに側方に向かって突出するようにして設けられた被掛止片３ｂと、ラベル本体３ａの側端部分に形成された切込み３ｊによって、ラベル本体３ａの側端３ｄとは反対側に向かって突出するようにして設けられた被掛止片３ｂとの両者からなっていてもよい。
【００５１】
また、ダミー体は、ＰＥＴボトルや金属ボトルを模したダミーボトル１でなくとも、参考として、図２３に示すように、飲料の容器としての缶を模した、ダミー缶Ｆであってもよい。このとき、ダミー体本体２には、傾斜部２ｂはなく、また、キャップＣ（Ｃ１、Ｃ２）は設けられておらず、したがって、ダミー体本体２は、本体部２ａのみからなっている。
【００５２】
また、第四の実施の形態において、径大部Ｄ１に形成された第１の凸部Ｅ１や径小部Ｄ２に形成された第２の凸部Ｅ２は、リブからならなくとも、図２４に示すように円弧状に突出して設けられていてもよく、また、図２５に示すように、三角形状に突出して設けられていてもよい。また、第１の凸部Ｅ１（第２の凸部Ｅ２）の代わりに、図２６に示すように、径大部Ｄ１（径小部Ｄ２）には、第１のキャップＣ１（第２のキャップＣ２）の内面から逃げる第１の平坦部Ｇ１（第２の平坦部Ｇ２）が形成されていてもよい。さらには、第１の凸部Ｅ１（第２の凸部Ｅ２）の代わりに、図２７に示すように、径大部Ｄ１（径小部Ｄ２）には、第１のキャップＣ１（第２のキャップＣ２）の内面から逃げる第１の凹部Ｈ１（第２の凹部Ｈ２）が形成されていてもよい。また、以上において、凸部Ｅ１、Ｅ２、平坦部Ｇ１、Ｇ２、そして凹部Ｈ１、Ｈ２は、一ヶ所に設けられていても、あるいは二ヵ所以上に設けられていてもよく、その数は、任意に定めることができる。
【００５３】
また、以上に示すダミーボトル１やダミー缶Ｆの構造において、既述した各実施の形態に示される個々の構成部分、構成要素を適宜組み合わせることができるのは勿論である。
【符号の説明】
【００５４】
１  ダミーボトル（ダミー体）
２  ダミー体本体
２ｅ  飲み口部
Ｃ１  第１のキャップ
Ｃ２  第２のキャップ
Ｄ１  径大部
Ｄ２  径小部
Ｅ１  第１の凸部
Ｅ２  第２の凸部
Ｇ１  第１の平坦部
Ｇ２  第２の平坦部
Ｈ１  第１の凹部
Ｈ２  第２の凹部
【図１】
2010176704.tif 000003
【図２】
2010176704.tif 000004
【図３】
2010176704.tif 000005
【図４】
2010176704.tif 000006
【図５】
2010176704.tif 000007
【図６】
2010176704.tif 000008
【図７】
2010176704.tif 000009
【図８】
2010176704.tif 000010
【図９】
2010176704.tif 000011
【図１０】
2010176704.tif 000012
【図１１】
2010176704.tif 000013
【図１２】
2010176704.tif 000014
【図１３】
2010176704.tif 000015
【図１４】
2010176704.tif 000016
【図１５】
2010176704.tif 000017
【図１６】
2010176704.tif 000018
【図１７】
2010176704.tif 000019
【図１８】
2010176704.tif 000020
【図１９】
2010176704.tif 000021
【図２０】
2010176704.tif 000022
【図２１】
2010176704.tif 000023
【図２２】
2010176704.tif 000024
【図２３】
2010176704.tif 000025
【図２４】
2010176704.tif 000026
【図２５】
2010176704.tif 000027
【図２６】
2010176704.tif 000028
【図２７】
2010176704.tif 000029